(57)【特許請求の範囲】
【請求項１】
外部の表示装置へ画像を送信する撮像装置と、
前記表示装置に対して着脱可能な装着部と、からなり
前記撮像装置は、
前記表示装置へ画像を送信する通信部と、
外筒部と、
撮像素子とを備え、
前記装着部は、
前記外筒部に対して移動可能なスライダーと、
前記スライダーに連結された第１の被取付体と、
前記第１の被取付体との間隔が変更可能な第２の被取付体と、
前記第１の被取付体と前記第２の被取付体の間隔が近づく方向に付勢する付勢部材とを備え、
前記第１の被取付体と前記第２の被取付体で前記表示装置を把持する
撮像ユニット
【請求項２】
前記撮像装置と前記装着部は一体装置として形成されている
請求項１に記載の撮像ユニット。
【請求項３】
前記撮像装置と前記装着部は別体装置として形成されている
請求項１に記載の撮像ユニット。
【請求項４】
前記第１の被取付体が上側に配置され、前記第２の被取付体が下に配置される
請求項１に記載の撮像ユニット。
【請求項５】
前記スライダーの移動によって、前記第１の被取付体が上方向に移動され、前記第２の被取付体は位置が固定されている
請求項４に記載の撮像ユニット。
【請求項６】
前記装着部は、前記第１の被取付体が移動する旨を示すマークを備える
請求項５に記載の撮像ユニット。
【請求項７】
前記第１の被取付体及び前記第２の被取付体は収納可能に構成されている
請求項１に記載の撮像ユニット。
【請求項８】
前記装着部はベース体を更に備え、
第１の状態として、前記第１の被取付体及び第２の被取付体は前記ベース体に対して収納される状態となる
請求項７に記載の撮像ユニット。
【請求項９】
第２の状態として、前記第１の被取付体及び第２の被取付体は前記ベース体に対して開放された状態となり、当該第２の状態で前記表示装置を把持する
請求項８に記載の撮像ユニット。
【請求項１０】
前記第１の被取付体および前記第２の被取付体は前記第１の状態と前記第２の状態との間で回動可能である
請求項９に記載の撮像ユニット。
【請求項１１】
撮像ユニット背面側に前記第１の被取付体および前記第２の被取付体が配置される
請求項１に記載の撮像ユニット。
【請求項１２】
少なくとも前記第１の被取付体と前記第２の被取付体の一方に、装着状態を保持する保持部を備える
請求項１に記載の撮像ユニット。
【請求項１３】
前記撮像装置は、
撮影釦と、
電源釦と、
ズームスイッチと、
を備え、
前記外筒部に周面部が設けられ、
前記撮影釦が前記周面部の左側に配置され、
前記電源釦が前記周面部の上側に配置され、
前記ズームスイッチが前記周面部に配置されている
請求項１に記載の撮像ユニット。
【請求項１４】
前記撮像装置は、
撮影釦と、
電源釦と、
ズームスイッチと、
載置された状態で装置筐体の転がりを防止する転がり防止部と、
を備え、
前記外筒部に少なくとも一部に曲面を有する周面部が設けられ、
前記撮影釦が前記周面部に配置され、
前記電源釦が前記周面部に配置され、
前記ズームスイッチが前記周面部に配置され、
前記転がり防止部が前記周面部の下側に配置されている
請求項１に記載の撮像ユニット。
【請求項１５】
前記撮像装置は、
撮影釦と、
電源釦と、
を備え、
前記外筒部に周面部が設けられ、
前記撮影釦と前記電源釦が前記周面部上における周方向に異なる位置に配置されている
請求項１に記載の撮像ユニット。
【請求項１６】
前記撮像装置は、電源釦を備え、
前記電源釦は、前記外筒部の周面部を形成する面より突出しないように配置されている
請求項１に記載の撮像ユニット。
【請求項１７】
前記撮像装置には、外部音声を入力するマイクロフォンが前記外筒部の周面部に配置されている
請求項１に記載の撮像ユニット。
【請求項１８】
前記撮像装置には、三脚用穴が前記外筒部の周面部の下端部に配置されている
請求項１に記載の撮像ユニット。
【請求項１９】
前記撮像装置には、近距離無線通信部が前記外筒部の背面側以外に配置されている
請求項１に記載の撮像ユニット。
【請求項２０】
前記撮像装置には、近距離無線通信部が前記外筒部の周面部の上方側に配置されている
請求項１に記載の撮像ユニット。
【請求項２１】
前記外筒部の後面部に配置され、前記表示装置に着脱するための装着装置と結合可能に構成された第１及び第２の結合部と、
前記外筒部の後面部であって、前記第１の結合部と前記第２の結合部との間に設けられている、バッテリーを収納する収納部と、を備えた
請求項１に記載の撮像ユニット。
【請求項２２】
前記収納部は、バッテリーが撮像光軸に略垂直な方向から収納可能に構成されている
請求項２１に記載の撮像ユニット。
【請求項２３】
前記収納部には、収納されたバッテリーを閉塞するバッテリー蓋が設けられ、
前記バッテリー蓋は、前記外筒部の後面部との連結部材を備え、
前記連結部材は前記バッテリー蓋の上方側を前記後面部と連結しており、
前記バッテリー蓋が前記連結部材を支点にして上方向へ開放可能とされている
請求項２１に記載の撮像ユニット。
【請求項２４】
外部の表示装置へ画像を送信する撮像装置に取り付けられて、前記撮像装置を前記表示装置に対して着脱可能とする装着装置であって、
前記撮像装置の外筒部に対して移動可能なスライダーと、
前記スライダーに連結された第１の被取付体と、
前記第１の被取付体との間隔が変更可能な第２の被取付体と、
前記第１の被取付体と前記第２の被取付体の間隔が近づく方向に付勢する付勢部材とを備え、
前記第１の被取付体と前記第２の被取付体で前記表示装置を把持する
装着装置。
【請求項２５】
前記第１の被取付体が上側に配置され、前記第２の被取付体が下に配置される
請求項２４に記載の装着装置。
【請求項２６】
前記スライダーの移動によって、前記第１の被取付体が上方向に移動され、前記第２の被取付体は位置が固定されている
請求項２４に記載の装着装置。
【請求項２７】
前記第１の被取付体が移動する旨を示すマークを備える
請求項２４に記載の装着装置。
【請求項２８】
前記第１の被取付体及び前記第２の被取付体は収納可能に構成されている
請求項２４に記載の装着装置。
【請求項２９】
ベース体を更に備え、
第１の状態として、前記第１の被取付体及び第２の被取付体は前記ベース体に対して収納される状態となる
請求項２４に記載の装着装置。
【請求項３０】
第２の状態として、前記第１の被取付体及び第２の被取付体は前記ベース体に対して開放された状態となり、当該第２の状態で前記表示装置を把持する
請求項２９に記載の装着装置。
【請求項３１】
前記第１の被取付体および前記第２の被取付体は前記第１の状態と前記第２の状態との間で回動可能である
請求項３０に記載の装着装置。
【請求項３２】
背面側に前記第１の被取付体および前記第２の被取付体が配置される
請求項２４に記載の装着装置。
【請求項３３】
少なくとも前記第１の被取付体と前記第２の被取付体の一方に、装着状態を保持する保持部を備える
請求項２４に記載の装着装置。
【発明の詳細な説明】
【技術分野】
【０００１】
本技術は、表示装置と連携して撮像動作が可能な撮像装置と装着装置による撮像ユニット、及び装着装置についての技術分野に関する。
【先行技術文献】
【特許文献】
【０００２】
【特許文献１】特開２０１３−９２５５６号公報
【背景技術】
【０００３】
異なる機能を有する機器の間で一方の機器が他方の機器に対して着脱可能とされるものがある。このような一方の機器が他方の機器に対して着脱可能とされるものとして、例えば、ズーム機能を有する交換レンズと撮像機能を有するカメラ装置本体とがある。
【０００４】
また、異なる機能を有する機器の間で一方の機器が他方の機器に対してアダプターを介して着脱可能とされるものもあり、このような例としては、交換レンズがアダプターを介してカメラ装置本体に着脱可能とされるものがある（例えば、特許文献１参照）。
【０００５】
特許文献１には、アダプターのカメラ装置本体に対する取付の方式として、アダプターの全体をカメラ装置本体に対して回転させアダプターの係合部をカメラ装置本体の係合部に係合する方式が記載されている。
【０００６】
一方、近年、無線ＬＡＮ（Local Area Network）等の通信技術の発達により、例えば、撮像装置により取得される画像を表示装置の表示部（ディスプレイ）に表示するような開発も進展している。
【０００７】
このような無線通信技術を用いて表示装置と撮像装置の間の通信を行う場合には、アダプターと表示装置の間で電気的な接続を行うための構造を設ける必要がないため、アダプターの表示装置に対する取付機構（着脱機構）を簡易な機構にすることが可能である。
【発明の概要】
【発明が解決しようとする課題】
【０００８】
ところで、このような表示装置と連携して撮像動作が可能な撮像ユニットについては、連携動作や着脱に適した装置構成が要求される。
そこで本技術では、連携動作や着脱に適した装置構成を提案することを目的とする。
【課題を解決するための手段】
【０００９】
本技術に係る撮像ユニットは、外部の表示装置へ画像を送信する撮像装置と、前記表示装置に対して着脱可能な装着部（装着装置）と、からなる。前記撮像装置は、前記表示装置へ画像を送信する通信部と、外筒部と、撮像素子とを備える。前記装着部（装着装置）は、前記外筒部に対して移動可能なスライダーと、前記スライダーに連結された第１の被取付体と、前記第１の被取付体との間隔が変更可能な第２の被取付体と、前記第１の被取付体と前記第２の被取付体の間隔が近づく方向に付勢する付勢部材とを備え、前記第１の被取付体と前記第２の被取付体で前記表示装置を把持する。このように撮像装置と装着部による撮像ユニットを構成することで、撮像装置を外部の表示装置に取り付けて使用することが可能となる。
【００１０】
上記の撮像ユニットにおいては、前記撮像装置と前記装着部は一体装置として形成されていることが想定される。一体型とすることで撮像ユニットを取り扱いよくでき、また表示装置への装着も容易である。
また上記の撮像ユニットにおいては、前記撮像装置と前記装着部は別体装置として形成されていることが想定される。別体型として構成することで、撮像装置の小型化や、より自由な取り扱いが可能となる。
【００１１】
上記の装着部（装着装置）においては以下の構成が望ましい。
前記第１の被取付体が上側に配置され、前記第２の被取付体が下に配置されることが望ましい。第１，第２の被取付体が上下に配置されることで、表示装置を上下から挟み込む取付構造が実現される。
また、前記スライダーの移動によって、前記第１の被取付体が上方向に移動され、前記第２の被取付体は位置が固定されていることが望ましい。第１，第２の被取付体の一方が移動されることで、表示装置のサイズに合わせた取付が容易である。また上側である第１の被取付体のみが伸縮されて第１の被取付体と第２の被取付体の間隔調整が行われることで、表示装置の高さ方向の中央点以下の位置に撮像装置の撮像光軸が位置する。そして表示装置のサイズに関わらず、撮像装置の底面位置と表示装置の底面位置が略一致する。このため表示装置のサイズに関わらず、ユーザは撮像ユニットを取り付けた表示装置を安定して持ちやすい状態となる。また撮像ユニットを取り付けた表示装置を、そのまま机上等に置く場合も姿勢が安定し、置いたままの撮像にも適している。また第２の被取付体が固定であることで表示装置に対する装着部（装着装置）の取付状態が安定する。
また、前記装着部は、前記第１の被取付体が移動する旨を示すマークを備えることが望ましい。マークにより第１の被取付体の位置が上方へ伸長することをユーザに認識させ、使用性を向上させることができる。
また、前記第１の被取付体及び前記第２の被取付体は収納可能に構成されていることが望ましい。表示装置への取り付けを行っていないときは第１、第２の被取付体を収納する構成とすることで、装着部（装着装置）の取り扱い性、携帯性を高め、また第１、第２の被取付体の保護機能が得られる。
また、前記装着部はベース体を更に備え、第１の状態として、前記第１の被取付体及び第２の被取付体は前記ベース体に対して収納される状態となることが望ましい。即ちベース体により収納構造を実現する。
この場合、第２の状態として、前記第１の被取付体及び第２の被取付体は前記ベース体に対して開放された状態となり、当該第２の状態で前記表示装置を把持する。
そして前記第１の被取付体および前記第２の被取付体は前記第１の状態と前記第２の状態との間で回動可能であることが望ましい。
また、撮像ユニット背面側に前記第１の被取付体および前記第２の被取付体が配置されることが望ましい。これにより背面側で表示装置に取り付ける構造が実現される。
また、少なくとも前記第１の被取付体と前記第２の被取付体の一方に、装着状態を保持する保持部を備えることが望ましい。保持部が例えば表示装置の背面側に回り込む状態などとされて装着状態を保持することで、装着部の表示装置からの脱落が防止される。
【００１２】
上記の撮像装置においては以下の構成が望ましい。
前記撮像装置は、撮影釦と、電源釦と、ズームスイッチと、を備え、前記外筒部に周面部が設けられ、前記撮影釦が前記周面部の左側に配置され、前記電源釦が前記周面部の上側に配置され、前記ズームスイッチが前記周面部に配置されていることが望ましい。通信部、外筒部、撮像素子、撮影釦、電源釦、ズームスイッチを備えた撮像装置により外部の表示装置と連携して撮像／表示動作を行う装置として好適となる。
また、前記撮像装置は、撮影釦と、電源釦と、ズームスイッチと、載置された状態で装置筐体の転がりを防止する転がり防止部とを備え、前記外筒部に少なくとも一部に曲面を有する周面部が設けられ、前記撮影釦が前記周面部に配置され、前記電源釦が前記周面部に配置され、前記ズームスイッチが前記周面部に配置され、前記転がり防止部が前記周面部の下側に配置されていることが望ましい。曲面を有する周面部を備えた形状で転がり防止が有効となる。
また、前記撮像装置は、撮影釦と、電源釦と、を備え、前記外筒部に周面部が設けられ、前記撮影釦と前記電源釦が前記周面部上における周方向に異なる位置に配置されていることが望ましい。通信部、外筒部、撮像素子、撮影釦、電源釦を備えた撮像装置により外部の表示装置と連携して撮像／表示動作を行う装置として好適となる。
また、前記撮像装置は、電源釦を備え、前記電源釦は、前記外筒部の周面部を形成する面より突出しないように配置されていることが望ましい。電源釦が突出しないことで誤って電源釦が操作されることの防止に適している。
また、前記撮像装置には、外部音声を入力するマイクロフォンが前記外筒部の周面部に配置されていることが望ましい。レンズ筐体としての外筒部が本体となる装置態様では、外筒部の周面部が最も外部音声に遮断されにくいため、その周面部にマイクロフォンを配置することで外部音声の集音に適している。
また、前記撮像装置には、三脚用穴が前記外筒部の周面部の下端部に配置されていることが望ましい。外筒部が撮像装置の本体を形成する形状の場合、周面部における下端部に三脚用穴を形成することで、三脚を取り付けた際のバランスをよくすることができる。
また、前記撮像装置には、近距離無線通信部が前記外筒部の背面側以外に配置されていることが望ましい。 背面側に近距離無線通信を行うＮＦＣ通信部を配置すると、撮像装置を装着部（装着装置）によって表示装置に取り付けた際に、常時ポーリングを行ってしまう場合があるためである。
また、前記撮像装置には、近距離無線通信部が前記外筒部の周面部の上方側に配置されていることが望ましい。これにより机上等に置いた状態で、自然に外部機器を接近させると無線通信を行うことができる。
【００１３】
また、前記外筒部の後面部に配置され、前記表示装置に着脱するための装着装置と結合可能に構成された第１及び第２の結合部と、前記外筒部の後面部であって、前記第１の結合部と前記第２の結合部との間に設けられている、バッテリーを収納する収納部と、を備えることが望ましい。つまり収納部を、装着装置との装着面側を空間を有効利用して設ける。特に収納部が第１の結合部と前記第２の結合部との間に設けられることで、装着装置との装着を妨げない状態で収納部を設けることができる。
また、前記収納部は、バッテリーが撮像光軸に略垂直な方向から収納可能に構成されていることが望ましい。バッテリーを垂直姿勢で収納することで、外筐形状に影響を与えないことができ、撮像装置のデザインの自由度が増す。
また、前記収納部には、収納されたバッテリーを閉塞するバッテリー蓋が設けられ、前記バッテリー蓋は、前記外筒部の後面部との連結部材を備え、前記連結部材は前記バッテリー蓋の上方側を前記後面部と連結しており、前記バッテリー蓋が前記連結部材を支点にして上方向へ開放可能とされていることが望ましい。バッテリー蓋が設けられることで、後面部の外観を良好とできる。またバッテリーの脱落を防止でき、連結部材によりバッテリー蓋の脱落も防止される。
【発明の効果】
【００１４】
本技術によれば、外部の表示装置と連携して撮像動作が可能な撮像ユニットとして、連携動作、操作、或いは着脱に適した装置構成が実現される。また装着装置は、表示装置と撮像装置の着脱に適した装置構成として実現される。
尚、本明細書に記載された効果はあくまでも例示であって限定されるものではなく、他の効果があってもよい。
【図面の簡単な説明】
【００１５】
【図１】実施の形態のアダプター及び撮像ユニットを示すものであり、本図は、撮像ユニットと表示装置の斜視図である。
【図２】撮像ユニットと表示装置を図１とは別の方向から見た状態で示す斜視図である。
【図３】撮像装置と表示装置を示す分解斜視図である。
【図４】撮影状態を示す撮像装置の斜視図である。
【図５】撮像装置の拡大正面図である。
【図６】撮像装置の拡大背面図である。
【図７】撮像装置の拡大平面図である。
【図８】撮像装置の拡大底面図である。
【図９】撮像装置の拡大左側面図である。
【図１０】撮像装置の拡大右側面図である。
【図１１】操作環が設けられた撮像装置の例を示す斜視図である。
【図１２】操作釦が設けられた撮像装置の例を示す斜視図である。
【図１３】別の撮像装置の斜視図である。
【図１４】別の撮像装置の拡大正面図である。
【図１５】別の撮像装置の拡大背面図である。
【図１６】別の撮像装置の拡大平面図である。
【図１７】別の撮像装置の拡大底面図である。
【図１８】別の撮像装置の拡大左側面図である。
【図１９】別の撮像装置の拡大右側面図である。
【図２０】アダプターの斜視図である。
【図２１】アダプターを図２０とは別の方向から見た状態で示す斜視図である。
【図２２】被取付体が保持位置に回動された状態で示すアダプターの斜視図である。
【図２３】アダプターの分解斜視図である。
【図２４】カバー体の斜視図である。
【図２５】カバー体を取り外した状態で示すアダプターの斜視図である。
【図２６】被取付体の拡大斜視図である。
【図２７】アダプターの概略背面図である。
【図２８】第２のスライダーがスライドされて第２の付勢バネが圧縮された状態を示す概略背面図である。
【図２９】第２のスライダーと第１のスライダーがスライドされて第２の付勢バネと第１の付勢バネが圧縮された状態を示す概略背面図である。
【図３０】一対の被取付体の間隔が広がった状態を示す斜視図である。
【図３１】一対の被取付体の間隔がさらに広がった状態を示す斜視図である。
【図３２】小型の表示装置にアダプターが取り付けられた状態を示す斜視図である。
【図３３】大型の表示装置にアダプターが取り付けられた状態を示す斜視図である。
【図３４】バネの伸長量とバネ力の関係を示したグラフ図である。
【図３５】押当突部が表示装置に密着された状態を示す拡大断面図である。
【図３６】押付突部が表示装置に密着された状態を示す拡大断面図である。
【図３７】撮像ユニットが据え置き状態で使用されている例を示す概略側面図である。
【図３８】三つの付勢バネが用いられたアダプターの例を示す概念図である。
【図３９】三つの付勢バネが用いられたアダプターの例における動作を示す概念図である。
【図４０】バッテリー蓋の裏面とバッテリー装填部の平面図である。
【図４１】バッテリー蓋を空けた際のバッテリー非装着状態の平面図である。
【図４２】バッテリー蓋を空けた際のバッテリー装着状態の平面図である。
【図４３】バッテリー蓋の装着過程の平面図である。
【図４４】バッテリー蓋の装着状態の平面図である。
【図４５】撮像ユニットのブロック図である。
【図４６】撮像ユニットの他の形状例を示す斜視図である。
【発明を実施するための形態】
【００１６】
以下に、本技術を実施するための形態を添付図面に従って説明する。
【００１７】
以下の説明にあっては、撮像装置の撮影時において撮影者から見た方向で前後上下左右の方向を示すものとする。従って、被写体側が前方となり、撮影者側が後方となる。
【００１８】
尚、以下に示す前後上下左右の方向は説明の便宜上のものであり、本技術の実施に関しては、これらの方向に限定されることはない。
【００１９】
［撮像ユニットの概略構成］
撮像ユニット１は撮像装置２とアダプター３（装着部、装着装置）から成る（図１乃至図３参照）。アダプター３は撮像装置２の後面に着脱可能とされている。但し、撮像ユニット１は撮像装置２の後端部にアダプター３が一体に形成された一体型の構成にされていてもよい。撮像装置２は表示装置４との間で画像データ等の送受信が可能な通信機能を有している。
【００２０】
アダプター３は表示装置４に着脱可能とされている。表示装置４は、例えば、携帯電話である。但し、表示装置４は携帯電話に限られることはなく、表示機能を有していれば他の装置、例えば、携帯端末やテレビジョンシステム等であってもよい。
【００２１】
尚、以下には、撮像装置２とアダプター３が別体で構成され、撮像装置２に結合されるアダプター３が携帯電話である表示装置４に着脱可能とされる場合について説明する。
【００２２】
［表示装置の概略構成］
表示装置４は外筐５の内外に所要の各部が配置されて成る。外筐５は、例えば、略長方形のケース状に形成され、一方の面（後面）に表示パネル６が設けられている。表示パネル６はタッチパネルとされ表示パネル６の所定の各位置を接触操作することにより所定の機能が実行される。
【００２３】
表示装置４は撮像装置２との間で画像データ等の送受信が可能な通信機能を有している。
【００２４】
［撮像装置の構成］
撮像装置２は外筒部７と外筒部７の内部に配置された複数のレンズ群とレンズ群の後方に位置された図示しない撮像素子とを有している（図１乃至図１０参照）。撮像装置２においてはレンズ群を介して取り込んだ光が撮像素子において光電変換される。従って、撮像装置２は画像や映像の撮影が可能とされている。
【００２５】
外筒部７は前後に貫通する略円筒状に形成された周面部７ａと周面部７ａの前端部から内方へ張り出された張出部７ｂと周面部７ａを後方から閉塞する後面部７ｃとを有している。
【００２６】
外筒部７の内側には前後方向において移動可能とされた内筒部８、８が支持されている（図３乃至図５参照）。従って、撮像装置２は、内筒部８、８が外筒部７に対して前方へ繰り出されて撮影状態（図４参照）とされ、前方へ繰り出されていた内筒部８、８が後方へ繰り込まれて外筒部７の内部に収納されることにより沈胴状態（図２参照）とされる。
【００２７】
最も内側の内筒部８の前面部には略矩形状の光透過孔８ａが形成されている（図４参照）。最も内側の内筒部８の前面部における後面側にはレンズバリアー９、９が開閉自在に支持されている。レンズバリアー９、９は図示しない開閉機構によって沈胴状態において閉じられ撮影状態において開かれる。従って、沈胴状態においてはレンズバリアー９、９によって内筒部８の光透過孔８ａが閉塞され（図２参照）、撮影状態においてはレンズバリアー９、９によって光透過孔８ａが開放される（図４参照）。
【００２８】
撮像装置２の内部には最も前側に位置された撮影レンズ１０（図４参照）を含む複数のレンズ群が光軸方向に離隔して配置されており、レンズバリアー９、９によって光透過孔８ａが開放されると撮影レンズ１０に外部から光が入射される。
【００２９】
外筒部７の前端部には
操作リング１１が回転自在に支持されている（図２参照）。操作リング１１が操作されることにより、マニュアルフォーカスやズームが行われレンズ群が光軸方向へ移動される。
操作リング１１が外筒部７の前端部に周回状に設けられていることで、ユーザが操作リング１１の回転操作を行いやすいものとされる。操作リング１１が表面が鋸歯状のグリップ部とされていることも回転操作の操作性向上に好適である。
なお操作リング１１は、表示装置４からのユーザ操作に応じて、後述する無線通信による制御により、操作内容をマニュアルフォーカス操作とズーム操作で切り換えることができる。従ってユーザの好みや状況に応じて操作リング１１をフォーカス操作とズーム操作の操作子として使い分けることができる。
【００３０】
外筒部７の後面部７ｃにおける外周部には後方へ突出された第１，第２の結合部１２、１２が１８０°反対側の位置に設けられている（図３及び図６参照）。結合部１２には周方向に離隔して外方へ突出された係止突部１２ａ、１２ａが設けられている。これにより後述するアダプター３の結合凹部１８ａ、１８ａ、係止片１７ａ、１７ａと係合する係合構造体が形成される。
後面部７ｃにおける結合部１２の近傍にはロックピン１３が前後方向へ移動自在に支持され、ロックピン１３は図示しないバネによって後方へ付勢されている。
【００３１】
外筒部７の周面部７ａにおける後端部にはロック解除レバー２ａが配置されている（図１０参照）。ロック解除レバー２ａが操作されることによりロックピン１３が外筒部７の内部に引き込まれる。
【００３２】
外筒部７の後面部７ｃにおける結合部１２、１２間の部分にはバッテリー蓋２ｂが配置されている（図３及び図６参照）。撮像装置２にはバッテリー蓋２ｂの内側にバッテリーを収納するバッテリー装填部７０（図４１，図４２参照）が形成されており、バッテリー蓋２ｂを開閉することにより収納部に対する図示しないバッテリーの装着及び取出を行うことが可能とされている。
ここで第１，第２の結合部１２、１２が後面部７ｃにおける外周部に形成されていることで、第１，第２の結合部１２、１２の間を、バッテリー蓋２ｂ及びバッテリー装填部７０に配置に用いることができる。換言すれば結合部１２、１２が後面部７ｃにおける外周部に形成されることで、バッテリー収納空間の確保にとっての邪魔にならない。
【００３３】
外筒部７の周面部７ａにおける上端部にはマイクロフォン２ｃ、２ｃと電源釦２ｄが前後に離隔して配置されている（図２、図３及び図７参照）。マイクロフォン２ｃ、２ｃは外部の音声を入力するための部分である。本実施の形態のようにレンズ筐体としての外筒部７が本体となる装置態様では、マイクロフォン配置が容易な位置のうちで外筒部７の周面部７ａが最も外部音声を遮断されにくい。そのため、周面部７ａにマイクロフォン２ｃ，２ｃを配置することで外部音声の集音に適している。さらには、マイクロフォン２ｃ、２ｃが周面部７ａにおける上端部に設けられることで、ユーザが外筒部７を持ったときにマイクロフォン２ｃ、２ｃがふさがれにくく、外部音声入力に適している。
なお図示するマイクロフォン２ｃ，２ｃの部分は、外部からはマイクロフォン孔として視認される。マイクロフォン２ｃ，２ｃ自体は周面部７ａの内方に配置されるが、少なくとも外部音声を入力する２つのマイクロホンへ外部音声を導くマイクロフォン孔（２ｃ，２ｃ）は、周面部７ａ上に左右対称位置に形成されている。左右対称位置であることで左右ステレオ音声の集音に適している。
電源釦２ｄは、その表面が周面部７ａを形成する面より突出しないように配置されている。例えば図示のように周面部７ａと面一となるようにされている。或いは電源釦２ｄの表面が周面部７ａよりも落とし込まれた状態とされていてもよい。
電源釦２ｄが周面部７ａより突出しないことで誤って電源釦２ｄが操作されることの防止に適している。
電源釦２ｄが操作されることにより、撮像装置２における電源の投入又は電源の遮断が行われ、電源が投入されたときに内筒部８、８が外筒部７に対して前方へ繰り出されて撮影状態が設定され、電源が遮断されたときに前方へ繰り出されていた内筒部８、８が後方へ繰り込まれて外筒部７の内部に収納されることにより沈胴状態が設定される。
【００３４】
外筒部７の周面部７ａにおける下端部には三脚用穴２ｅが形成されている（図８参照）。三脚用穴２ｅは撮影時等に図示しない三脚に撮像装置２を結合するための穴である。本実施の形態のように外筒部７が撮像装置２の本体を形成する形状の場合、周面部７ａにおける下端部に三脚用穴２ｅを形成することで、三脚を取り付けた際のバランスをよくすることができる。
外筒部７の周面部７ａにおける下端部には三脚用穴２ｅの左右に転がり防止突部２ｆ、２ｆが設けられている（図３及び図８参照）。転がり防止突部２ｆ、２ｆは僅かに下方へ突出されている。転がり防止突部２ｆ、２ｆによって撮像装置２が机やテーブル等に載置されたときの撮像装置２の転がりが防止され、撮像装置２の落下等による破損や故障を防止することができる。
本実施の形態のように周面部７ａの全体が曲面であったり、或いは少なくとも一部が曲面であり、そのような周面部７ａが外筐を形成する装置の場合、転がり防止突部２ｆは有用となる。
【００３５】
外筒部７の周面部７ａにおける左端部にはズームスイッチ２ｇとシャッタ釦（撮影釦）２ｈが前後に並んで近接して配置されている（図３及び図９参照）。ズームスイッチ２ｇが操作されることにより望遠と広角の間でのズームが行われ、シャッター釦２ｈが操作されることにより被写体の撮影が行われる。ズームスイッチ２ｇとシャッタ釦２ｈが近接配置されていることで、ユーザにとってズーミングで画角調整してからシャッタ操作を行うという一連の撮影動作が行いやすいものとなる。なお、ズームスイッチ２ｇとシャッタ釦２ｈは前後に並ぶようにするだけでなく、上下や斜め方向にならぶ状態で近接配置されていてもよい。
シャッタ釦２ｈとズームスイッチ２ｇは同一の部材２ｋ上に配置されている。この部材２ｋは外筒部７とともに周面部７ａの一部を形成している。近接配置するズームスイッチ２ｇとシャッタ釦２ｈを部材２ｋに取り付け、この部材２ｋを外筒部７に取り付ける構造とすることで、撮像装置の製造上の組み立てを効率化できる。
なおシャッタ釦２ｈについては、例えば半押しでオートフォーカス、全押しで撮像を行う被写体の撮影を行う操作子とするとよい。例えば撮像装置２を単体で使用する場合を想定すると、表示部（つまり表示装置４）がないためフォーカス操作が難しい。シャッタ釦２ｈの半押しによりオートフォーカスが行われるものとすれば、ユーザにとって直感的にわかりやすい操作を提供できる。また音出力部を設け、オートフォーカス動作時には電子音等を出力するようにすれば、ユーザの操作認識にも適している。
またズームスイッチ２ｇは図示のようにズームレバー形式で構成されている。レバー操作によりズーム操作が行われるようにしていることで操作性向上が図られる。なお、ズームスイッチ２ｇは、ワイド釦／テレ釦による押圧ボタン形式でもよい。またボタン形式とレバー形式の２つのズームスイッチが設けられていても良い。
【００３６】
ズームスイッチ２ｇとシャッター釦２ｈが周面部７ａにおける左端部に配置されていることにより、撮影時において撮像装置２を下方から把持したときに、操作する指が自然にズームスイッチ２ｇとシャッター釦２ｈの付近に位置されるため、操作性の向上による撮像装置２の使い勝手の向上を図ることができる。
またズームスイッチ２ｇとシャッター釦２ｈは周面部７ａにおける左端部に配置されることで、周面部７ａの上端部に設けられたマイクロフォン２ｃ、２ｃとは離れた位置となっている。これによりユーザがシャッタ釦２ｈやズームスイッチ２ｇを操作したときの音を、マイクロフォン２ｃ、２ｃがなるべく拾わないようにされている。
またズーム操作に関しては、ズームスイッチ２ｇと上述の操作リング１１が用意されている。これによってユーザは状況や好みに応じてズーム操作手法を選択でき、操作性が向上される。
またシャッター釦２ｈと電源釦２ｄとが、周面部７ａ上で周方向に異なる位置として、周面部の上方と側方に離れて配置されていることで、電源操作と撮影操作の操作ミスを防ぎやすい。なお、シャッターボタン２ｈと電源釦２ｄは周面部７ａの右方と左方などに離れていてもよいが、上述のように電源釦２ｄが周面部７ａの上方が適切であることを考えれば、シャッタ釦２ｈは周面部の側方（右方又は左方）とすることが適切である。
【００３７】
外筒部７の周面部７ａにおける左端部のシャッター釦２ｈの後側にはカバー体２ｉが配置されている。撮像装置２にはカバー体２ｉの内側に図示しないＵＳＢ（Universal Serial Bus）等の外部接続端子及びメモリーカードスロットが設けられている。従って、カバー体２ｉを開放することにより、外部機器との接続及びメモリーカードの装着を行うことができる。また、外部機器との接続やメモリーカードの装着により、撮像装置２によって撮影した画像や映像の外部機器又はメモリーカードへの記録を行うことができる。
【００３８】
外筒部７の周面部７ａにおける右端部には液晶パネル等によって形成された表示部２ｊが配置されている（図１０参照）。表示部２ｇにはバッテリーの残量やメモリーカードのメモリーカードスロットへの挿入の有無等が表示される。この表示部２ｇは撮像画像の表示に用いられるものではない。
表示部２ｇが配置されていることにより、撮像装置２の外部からバッテリーの残量やメモリーカードのメモリーカードスロットへの挿入の有無等を確認することが可能であり、撮像装置２の使い勝手の向上を図ることができる。
【００３９】
撮像装置２には無線通信機能が設けられている。無線通信を使用することにより、例えば、撮像装置２によって撮影した画像や映像の表示装置４への表示や保存、表示装置４に対する操作による撮像装置２の撮影機能の実行、表示装置４に対する操作による撮像装置２のズーム機能の実行等の各種の操作を行うことが可能とされている。
例えば具体的には、外筒部７内の、周面部７ａの上端部に近い内方にはＮＦＣ（Near Field Communication）通信を行うＮＦＣ通信部（ＮＦＣタグ）が搭載されており、表示装置４に搭載されたＮＦＣ通信部との間で非接触通信を行う。また撮像画像の送信等のために例えばＷＩＦＩ（Wireless Fidelity）通信部が設けられ、表示装置４に搭載されたＷＩＦＩ通信部との間で無線通信を行う。
撮像装置２は上述のように電源釦２ｄに対する操作によって電源オンとされる以外に、表示装置４側からのＮＦＣ通信によって電源オンとされてもよい。例えばＮＦＣ通信が確立されたら撮像装置２は電源オンする。そして例えば周面部７ａの上端部等、電源釦２ｄの近傍にＮＦＣ通信機能の表示を行うことで、ユーザは、電源オン操作に関して理解しやすいものとなる。
またＮＦＣ通信部を外筒部７内の上方側に配置することで、上述の三脚用穴２ｅに三脚を取り付けて使用する場合に、なるべくＮＦＣ通信部を表示装置４に対して近づけやすく、非接触通信に有利となる。
さらに図３７で後述するように載置面５０に置いた状態を考えると、ユーザは表示装置４を上方から撮像装置２に近づけることが通常である。従ってＮＦＣ通信部を外筒部７内の上方側に配置することは、そのような使用態様でも近距離無線通信に適した配置となる。
なお撮像装置２内でのＮＦＣ通信部の配置位置は、外筒部７内の上方側とする以外の例も考えられるが、少なくとも外筒部７の背面側、つまり後面部７ｃ側に近い位置には配置しないことが望ましい。背面側に近距離無線通信を行うＮＦＣ通信部を配置すると、図３２，図３３，図３７のように撮像装置２をアダプター３によって表示装置４に取り付けた際には、表示装置４側のＮＦＣ通信部と常時近接した状態となり、常時ポーリングを行ってしまう場合があるためである。このためＮＦＣ通信部は外筒部７の背面側以外に配置されることが望ましい。
【００４０】
尚、撮像装置２において、上記した構成に加え、例えば、操作環７０、７０を設けた構成にすることも可能である（図１１参照）。操作環７０、７０は外筒部７の周面部７ａに前後に並んで回転自在に支持されている。操作環７０、７０を回転操作することにより、例えば、オート撮影モード、パノラマ撮影モード、連写モード、接写モード、夜間撮影モード、背景ぼかしモード、セルフタイマーモード、ぶれ補正モード、スライドショーモード、静止画撮影モード、動画撮影モード等の撮影や再生における各種のモードの切替を行うことが可能とされている。
【００４１】
このように操作環７０、７０を用いることにより、各種のモードの切替を行うことが可能となり、撮像装置２の使い勝手の一層の向上を図ることができる。
【００４２】
尚、操作環７０の数は任意であるが、複数の操作環７０、７０、・・・が設けられることにより操作環７０、７０、・・・の各操作位置の組み合わせにより設定可能なモードを増やすことができ、撮像装置２の機能性の向上を図ることができる。
【００４３】
また、操作環７０、７０に代えて上記した各種のモードの切替を行う操作釦７１、７１、・・・を設けることも可能である（図１２参照）。操作釦７１、７１、・・・を設けることによっても、操作環７０、７０を設けた場合と同様に、撮像装置２の使い勝手の一層の向上を図ることができる。
【００４４】
［別の撮像装置の構成］
上記には撮像装置２について説明したが、撮像ユニット１の構成として撮像装置２に代えて以下の撮像装置２Ａを用いることも可能である（図１３乃至図１９参照）。
【００４５】
尚、撮像装置２Ａは、撮像装置２に比して前後方向の長さが短くされ形状や機能が一部異なることのみが相違するため、撮像装置２と比較して異なる部分についてのみ詳細に説明をし、その他の部分については撮像装置２における同様の部分に付した符号と同じ符号を付して説明を簡単に行うか又は省略する。
【００４６】
撮像装置２と撮像装置２Ａは、例えば、ズーム倍率が異なるようにされ、また、撮影した画像の品質が異なるようにされている。
【００４７】
撮像装置２Ａは外筒部７Ａと外筒部７Ａの内部に配置された複数のレンズ群とレンズ群の後方に位置された図示しない撮像素子とを有している。撮像装置２Ａにおいてはレンズ群を介して取り込んだ光が撮像素子において光電変換される。従って、撮像装置２Ａは画像や映像の撮影が可能とされている。
【００４８】
外筒部７Ａは前後に貫通する略円筒状に形成された周面部７ａと周面部７ａの前端部から内方へ張り出された張出部７ｂと周面部７ａを後方から閉塞する後面部７ｃとを有している。外筒部７Ａは外筒部７より前後方向における長さが短くされている。
【００４９】
外筒部７Ａの内側には前後方向において伸縮可能とされた内筒部８、８が支持されている（図１３及び図１４参照）。
【００５０】
外筒部７Ａには操作リングが支持されていない。尚、撮像装置２Ａにおいても撮像装置２と同様に、操作リングが設けられていてもよい。
【００５１】
外筒部７Ａの後面部７ｃにおける外周部には後方へ突出された結合部１２、１２が１８０°反対側の位置に設けられている（図１５参照）。後面部７ｃにおける結合部１２の近傍にはロックピン１３が前後方向へ移動自在に支持されている。
【００５２】
外筒部７Ａの周面部７ａにおける後端部にはロック解除レバー２ａが配置されている（図１９参照）。ロック解除レバー２ａが操作されることによりロックピン１３が外筒部７Ａの内部に引き込まれる。
【００５３】
外筒部７Ａの後面部７ｃにおける結合部１２、１２間の部分にはバッテリー蓋２ｂが配置されている（図１５参照）。撮像装置２Ａにおいては、バッテリー蓋２ｂの内側に外部接続端子及びメモリーカードスロットが設けられている。尚、撮像装置２Ａにおいても撮像装置２と同様に、シャッター釦２ｈの後側にカバー体を設け、カバー体の内側に外部接続端子及びメモリーカードスロットが設けられていてもよい。
【００５４】
外筒部７Ａの周面部７ａにおける上端部にはマイクロフォン２ｃ、２ｃと電源釦２ｄが前後に離隔して配置されている（図１３及び図１６参照）。
【００５５】
外筒部７Ａの周面部７ａにおける下端部には三脚用穴２ｅが形成されている（図１７参照）。外筒部７Ａの周面部７ａにおける下端部には三脚用穴２ｅの左右に転がり防止突部２ｆ、２ｆが設けられている（図１４及び図１７参照）。転がり防止突部２ｆ、２ｆは外側斜め下方へ突出されている。転がり防止突部２ｆ、２ｆによって撮像装置２Ａが机やテーブル等に載置されたときの撮像装置２Ａの転がりが防止され、撮像装置２Ａの落下等による破損や故障を防止することができる。
【００５６】
外筒部７Ａの周面部７ａにおける左端部にはズームスイッチ２ｇとシャッター釦２ｈが前後に並んで配置されている（図１３及び図１８参照）。
【００５７】
外筒部７Ａの周面部７ａにおける右端部には表示部２ｊが配置されている（図１９参照）。
【００５８】
撮像装置２ＡにはＮＦＣやＷＩＦＩ、無線ＬＡＮ（Local Area Network）等による通信機能が設けられている。無線通信を使用することにより、例えば、撮像装置２Ａによって撮影した画像や映像の表示装置４への表示や保存、表示装置４に対する操作による撮像装置２Ａの撮影機能の実行、表示装置４に対する操作による撮像装置２Ａのズーム機能の実行等の各種の操作を行うことが可能とされている。
【００５９】
尚、撮像装置２Ａにおいても撮像装置２と同様に、操作環７０又は操作釦７１を設けて各種のモードの切替を可能として撮像装置２Ａの使い勝手の一層の向上を図ることができる。
【００６０】
［アダプターの構成］
アダプター３は筐体１４の内外に所要の各部が配置されて成る（図２０乃至図２２参照）。
【００６１】
筐体１４は前側に位置されたベース体１５と後側に位置されたカバー体１６とが結合されて成る。
【００６２】
ベース体１５は円板状に形成されたベース面部１７とベース面部１７から後方へ突出された突状部１８、１８と突状部１８、１８のそれぞれ内側に設けられたガイド片部１９、１９とベース面部１７から後方へ突出された突片部２０とを有している（図２３参照）。
【００６３】
突状部１８、１８はベース面部１７の外周部において１８０°反対側の位置から突出され、ベース面部１７の左右両端部において周方向に延びる形状に形成されている。突状部１８は前方に開口され、突状部１８の内部空間が結合凹部１８ａとして形成されている（図２０参照）。
【００６４】
ベース面部１７の外周部には結合凹部１８ａの一部を前方から覆う係止片１７ａ、１７ａ、・・・が設けられている。ベース面部１７には結合凹部１８ａに連通する被ロック孔１７ｂが形成されている。
【００６５】
ガイド片部１９、１９は上下に延びる板状に形成されている（図２３参照）。
【００６６】
突片部２０はベース面部１７の下端部から突出され、左右に延びる板状に形成されている。
【００６７】
ベース体１５におけるガイド片部１９、１９と突片部２０によって囲まれた空間は機構配置空間１５ａとして形成されている。突片部２０は機構配置空間１５ａに配置される機構を外側から遮蔽し、アダプター３の外部からの内部に配置される機構を見え難くする機能を有している。
【００６８】
カバー体１６は一部を除いて外形が円形状に形成され、上端部と下端部にそれぞれ上方と下方に開口された配置用切欠１６ａ、１６ｂを有している（図２３及び図２４参照）。
【００６９】
カバー体１６には、配置用切欠１６ａの下側に連続し後方及び上方に開口された収納凹部１６ｃが形成され、配置用切欠１６ｂの上側に連続し後方及び下方に開口された収納凹部１６ｄが形成されている。
【００７０】
カバー体１６における左右両側の部分はそれぞれ配置部２１、２１として設けられ、配置部２１、２１は連結部２２によって連結されている。連結部２２は収納凹部１６ｃ、１６ｄ間の部分である。
【００７１】
配置部２１は前方に開口された凹状に形成されている。配置部２１には前方へ突出され上下に延びる突壁部２１ａが設けられている。
【００７２】
配置部２１における突壁部２１ａの内側の空間は前方に開口された縦長のバネ配置空間２１ｂとして形成されている。配置部２１、２１に形成されたバネ配置空間２１ｂ、２１ｂを形成する上面壁と下面壁はそれぞれバネ受け面２１ｃ、２１ｃとストッパー面２１ｄ、２１ｄとして形成されている。
【００７３】
筐体１４の内部には第１のスライダー２３が上下方向へスライド自在に支持される（図２３及び図２５参照）。第１のスライダー２３は上方に開口するコ字状に形成された被支持面部２４と被支持面部２４の左右両端部からそれぞれ後方へ突出された側面部２５、２５と側面部２５、２５の上端部から互いに離隔する方向へ突出された張出部２６、２６とを有している。
【００７４】
第１のスライダー２３には被支持面部２４の左端部における下端部から後方へ突出された第１のバネ受け面部２７が設けられている。第１のスライダー２３には被支持面部２４の右端部における下端部から後方へ突出された突受け面部２８が設けられている。第１のスライダー２３には被支持面部２４の右端部における上端部から後方へ突出された第２のバネ受け面部２９が設けられている。
【００７５】
第１のスライダー２３は張出部２６、２６以外の部分が機構配置空間１５ａに挿入されて配置され、張出部２６、２６がそれぞれベース体１５のガイド片部１９、１９を後方から覆うように配置される。第１のスライダー２３は側面部２５、２５がガイド片部１９、１９に案内されて上下方向へスライドされる。
【００７６】
第１のスライダー２３が上記のように配置された状態において、第１のバネ受け面部２７とカバー体１６の一方のバネ受け面２１ｃとの間に第１の付勢バネ３０が配置される。第１の付勢バネ３０は、例えば、圧縮コイルバネであり、両端部が第１のバネ受け面部２７とバネ受け面２１ｃに押し付けられる。従って、第１のスライダー２３は第１の付勢バネ３０によって下方へ付勢される。第１のスライダー２３が第１の付勢バネ３０によって下方へ付勢されることにより、第１のバネ受け面部２７がカバー体１６における左側のストッパー面２１ｄに押し付けられて第１のスライダー２３の下方への移動が規制される。
【００７７】
筐体１４の内部には第２のスライダー３１が第１のスライダー２３の後側において上下方向へスライド自在に支持される。第２のスライダー３１は縦長の略長方形状に形成された基面部３２と基面部３２の下端部における右端部から右方へ突出された突面部３３とを有している。
【００７８】
第２のスライダー３１には突面部３３の下端部から後方へ突出されたバネ支持面部３４が設けられている。第２のスライダー３１には基面部３２の下端部に下方に開口された逃げ用切欠３５が形成されている。
【００７９】
第２のスライダー３１は基面部３２が化粧パネル３６に取り付けられて保持されている。化粧パネル３６は縦長の略長方形状の保持ベース３６ａと保持ベース３６ａの左右両端部からそれぞれ後方へ突出された側壁部３６ｂ、３６ｂとから成る。基面部３２は保持ベース３６ａの後面に取り付けられ側壁部３６ｂ、３６ｂによって側方から囲まれた状態で化粧パネル３６に保持される。
【００８０】
第２のスライダー３１は化粧パネル３６に保持された状態で機構配置空間１５ａに挿入されて配置される。第２のスライダー３１は化粧パネル３６の側壁部３６ｂ、３６ｂがカバー体１６における配置部２１、２１の各内面に案内されて上下方向へスライドされる。
【００８１】
第２のスライダー３１が上記のように配置された状態において、バネ支持面部３４と第１のスライダー２３の第２のバネ受け面部２９との間に第２の付勢バネ３７が配置される。第２の付勢バネ３７は、例えば、圧縮コイルバネであり、両端部がバネ支持面部３４と第２のバネ受け面部２９に押し付けられる。従って、第２のスライダー３１は第２の付勢バネ３７によって下方へ付勢される。第２のスライダー３１が第２の付勢バネ３７によって下方へ付勢されることにより、バネ支持面部３４が第１のスライダー２３の突受け面部２８に押し付けられ、突受け面部２８がベース体１５における右側のストッパー面２１ｄに押し付けられて第２のスライダー３１の下方への移動が規制される。
【００８２】
第１の付勢バネ３０のバネ力は第２の付勢バネ３７のバネ力より小さくされている。
【００８３】
上記したように、第１の付勢バネ３０が第１のスライダー２３の第１のバネ受け面部２７とカバー体１６の一方のバネ受け面２１ｃとの間に配置され、第２の付勢バネ３７が第２のスライダー３１のバネ支持面部３４と第１のスライダー２３の第２のバネ受け面部２９との間に配置されているため、第１の付勢バネ３０と第２の付勢バネ３７は第１のスライダー２３を介して直列に接続される。従って、第２のスライダー３１は第１の付勢バネ３０と第２の付勢バネ３７によって下方へ付勢される。
【００８４】
第２のスライダー３１における基面部３２の上端部には第１の被取付体３８が回動自在に支持されている。第１の被取付体３８は基面部３２に支持された略平板状の挟持部３９と挟持部３９の先端部から挟持部３９に対して直交する方向へ突出された保持突部４０とを有している。
【００８５】
第１の被取付体３８はベース体１５とカバー体１６が結合された状態において、カバー体１６に形成された配置用切欠１６ａに配置される。
第１の被取付体３８は第１の状態として、収納凹部１６ｃに収納されて第２のスライダー３１に対して閉塞される収納位置（図２１参照）をとり得る。即ち第１の被取付体３８はベース体１５に対して収納される状態となる。
また第１の被取付体３８は第２の状態として、第２のスライダー３１に対して開放される保持位置（図２２参照）をとり得る。第１の被取付体３８は、この収納位置（第１の状態）と保持位置（第２の状態）との間で回動される。
第１の被取付体３８は保持位置においてカバー体１６から後方へ突出された状態にされる。
【００８６】
挟持部３９の内面側には弾性体４１が設けられている（図２６参照）。弾性体４１は挟持部３９に取り付けられた平板状の面状部４１ａと面状部４１ａの左右方向における中央部から突出された押当突部４１ｂ、４１ｂと面状部４１ａから突出され押当突部４１ｂ、４１ｂの左右に位置された押付突部４１ｃ、４１ｃ、・・・とがゴム材料によって一体に形成されて成る。
【００８７】
押当突部４１ｂ、４１ｂは弾性変形可能とされ、左右に離隔して設けられ、第１の被取付体３８が保持位置に回動された状態において前後に延びるように形成されている。押当突部４１ｂ、４１ｂは突出方向へ行くに従って左右方向において互いに離隔するように傾斜されている。
【００８８】
押付突部４１ｃ、４１ｃ、・・・は弾性変形可能とされ、上下に離隔して設けられ、左右に延びるように形成されている。押付突部４１ｃ、４１ｃ、・・・は突出方向へ行くに従って保持突部４０に近付くように傾斜されている。
【００８９】
カバー体１６の左右方向における中央部の下端側には支持板４２が取り付けられている。支持板４２はベース体１５とカバー体１６が結合された状態において、一部が第２のスライダー３１に形成された逃げ用切欠３５に位置され、これにより支持板４２と第２のスライダー３１の干渉が防止されている。
【００９０】
支持板４２の下端部には第２の被取付体４３が回動自在に支持されている。第２の被取付体４３は支持板４２に支持された略平板状の挟持部４４と挟持部４４の先端部から挟持部４４に対して直交する方向へ突出された保持突部４５とを有している。
【００９１】
第２の被取付体４３はベース体１５とカバー体１６が結合された状態において、カバー体１６に形成された配置用切欠１６ｂに配置される。第２の被取付体４３は収納凹部１６ｄに収納されてベース体１５に対して閉塞される収納位置（図２１参照）とベース体１５に対して開放される保持位置（図２２参照）との間で回動される。第２の被取付体４３は保持位置においてカバー体１６から後方へ突出された状態にされる。即ち第２の被取付体４３は第１の被取付体３８と同様に収納位置としてベース体１５に対して収納される状態となり、保持位置としてカバー体１６から後方へ突出された状態にされる。
【００９２】
挟持部４４の内面には第１の被取付体３８の挟持部３９に設けられたものと同じ弾性体４１が設けられている（図２６参照）。
【００９３】
上記したように、アダプター３にあっては、第１の被取付体３８と第２の被取付体４３はそれぞれ収納凹部１６ｃ、１６ｄに収納可能とされているため、不使用時に第１の被取付体３８と第２の被取付体４３を収納した状態で携帯や保管が可能であるため、不使用時における取扱い性の向上を図ることができる。
【００９４】
また、アダプター３の不使用時に第１の被取付体３８と第２の被取付体４３がそれぞれ収納凹部１６ｃ、１６ｄに収納されることにより、第１の被取付体３８と第２の被取付体４３がカバー体１６から突出されず、第１の被取付体３８と第２の被取付体４３の破損や傷付きを防止することができる。
【００９５】
［アダプターの撮像装置に対する着脱］
上記のように構成されたアダプター３は、以下のようにして撮像装置２、２Ａに結合される。
【００９６】
先ず、アダプター３のベース体１５に形成された結合凹部１８ａ、１８ａにそれぞれ撮像装置２、２Ａの結合部１２、１２が挿入される。
【００９７】
次に、アダプター３が撮像装置２、２Ａに対して回転される。アダプター３が回転されると、アダプター３の係止片１７ａ、１７ａ、・・・と撮像装置２、２Ａの係止突部１２ａ、１２ａ、・・・とがそれぞれ係合され、アダプター３の撮像装置２、２Ａに対する前後方向における移動が規制される。即ち係止突部によりアダプター３の係止片１７ａ、１７ａと係合した状態を形成する。
このとき同時に、ベース体１５によって撮像装置２、２Ａのロックピン１３が押圧されてロックピン１３がバネの付勢力に反して外筒部７の内部に引き込まれ、アダプター３が所定の位置まで回転され被ロック孔１７ｂがロックピン１３に一致されたところでロックピン１３がバネによって外筒部７から突出されロック孔１７ｂに挿入される。
【００９８】
ロックピン１３がロック孔１７ｂに挿入されることにより、アダプター３の撮像装置２、２Ａに対する回転が規制され、アダプター３が撮像装置２、２Ａに対してロックされた状態で結合される。
以上のように結合部１２，１２を介して撮像装置２とアダプター３とを相対的に回転させることで、撮像装置２とアダプター３を容易に結合させることができる。また結合状態がロックピン１３により維持される。
外筒部７の後面部７ｃにおける外周部には後方へ突出された第１，第２の結合部１２、１２が１８０°反対側の位置に設けられている（図３及び図６参照）。結合部１２には周方向に離隔して外方へ突出された係止突部１２ａ、１２ａが設けられている。後面部７ｃにおける結合部１２の近傍にはロックピン１３が前後方向へ移動自在に支持され、ロックピン１３は図示しないバネによって後方へ付勢されている。
【００９９】
アダプター３の撮像装置２、２Ａに対する結合の解除は、ロック解除レバー２ａが操作されてロックピン１３が外筒部７の内部に引き込まれロックが解除された状態において、アダプター３が撮像装置２、２Ａに対して結合時とは反対方向へ回転されることにより行われる。アダプター３が撮像装置２、２Ａに対して結合時とは反対方向へ回転されると、係止片１７ａ、１７ａ、・・・と撮像装置２、２Ａの係止突部１２ａ、１２ａ、・・・との係合状態が解除される。この状態でアダプター３を撮像装置２、２Ａに対して後方へ移動させて結合凹部１８ａ、１８ａから結合部１２、１２を引き出すことによりアダプター３の撮像装置２、２Ａに対する結合が解除される。
【０１００】
［アダプターの表示装置に対する着脱時の動作］
以下に、アダプター３の表示装置４に対する取付時の動作について説明する（図２７乃至図３３参照）。
【０１０１】
アダプター３の表示装置４に対する取付前の状態においては、第１のスライダー２３は第１の付勢バネ３０の付勢力によって第１のバネ受け面部２７がカバー体１６における左側のストッパー面２１ｄに押し付けられることにより下方への移動が規制されている（図２７参照）。このとき第２のスライダー３１は第２の付勢バネ３７によってバネ支持面部３４が第１のスライダー２３の突受け面部２８に押し付けられ、突受け面部２８がベース体１５における右側のストッパー面２１ｄに押し付けられることにより下方への移動が規制されている。
【０１０２】
アダプター３の表示装置４に対する取付は、第１の被取付体３８と第２の被取付体４３がそれぞれカバー体１５の収納凹部１６ｃ、１６ｄから引き出されて保持位置まで回動されることにより行われる。
【０１０３】
アダプター３の表示装置４に対する取付時には、第１の被取付体３８が把持されて上方へ移動される。
【０１０４】
第１の被取付体３８の上方への移動時には、先ず、第１の被取付体３８の移動に伴って第２のスライダー３１が上方へ移動されていく（図２８参照）。第２のスライダー３１が上方へ移動されることにより、第２の付勢バネ３７が圧縮されていく。
【０１０５】
さらに第１の被取付体３８の移動に伴って第２のスライダー３１が上方へ移動されていくと、第２の付勢バネ３７が圧縮されていくと共に第２の付勢バネ３７の圧縮により第２のバネ受け面部２９が上方へ押圧され第１のスライダー２３が上方へ移動されていく（図２９参照）。第１のスライダー２３が上方へ移動されていくと第１の付勢バネ３０が圧縮されていく。従って、第２の付勢バネ３７と第１の付勢バネ３０が同時に圧縮される。
【０１０６】
上記のように第１の被取付体３８が上方へ移動されると、第１の被取付体３８と第２の被取付体４３の間隔が大きくされていく。第１の被取付体３８は取り付けられる表示装置４の大きさに応じた位置まで上方へ移動される（図３０及び図３１参照）。
【０１０７】
次いで、第１の被取付体３８と第２の被取付体４３によって表示装置４が挟持され、アダプター３が表示装置４に取り付けられる（図３２及び図３３参照）。このとき第１の被取付体３８が第１の付勢バネ３０と第２の付勢バネ３７によって第２の被取付体４３に近付く方向へ付勢されており、表示装置４に弾性体４１、４１が密着される。
【０１０８】
小型の表示装置４にアダプター３が取り付けられた状態においては、第１の被取付体３８と第２の被取付体４３の間隔が小さくされており（図３２参照）、大型の表示装置４にアダプター３が取り付けられた状態においては、第１の被取付体３８と第２の被取付体４３の間隔が大きくされている（図３３参照）。
【０１０９】
アダプター３が表示装置４に取り付けられた状態においては、第１の被取付体３８の保持突部４０と第２の被取付体４３の保持突部４５とが表示装置４の背面側に回り込む状態にされている。従って、アダプター３の表示装置４からの前方への脱落が防止される。
そして図３２又は図３３のように表示装置４に取り付けられる際、アダプター３は、第２の被取付体４３は固定で第１の被取付体３８側が伸びる構成となっている。上側である第１の被取付体３８のみが伸縮されて第１の被取付体３８と第２の被取付体４３の間隔調整が行われることで、表示装置４の表示パネル６の高さ方向（表示装置４の筐体の短辺方向）の中央点以下の位置に撮像装置２の撮像光軸が位置するようになる。そして表示装置４のサイズに関わらず、撮像装置２の底面位置と表示装置４の底面位置が略一致する。
このため表示装置４のサイズに関わらず、ユーザは撮像ユニット１を取り付けた表示装置４を安定して持ちやすい状態となる。また撮像ユニット１を取り付けた表示装置４を、そのまま机上等に置く場合も姿勢が安定し、置いたままの撮像にも適している。
また第２の被取付体４３が固定であることで表示装置４に対するアダプター３の取付状態が安定するという利点もある。
なおアダプター３には、図３０，図３１等に示すように、第１の被取付体３８側が上方に伸びる構成であることを提示するマーク４８が設けられている。このマーク４８により第１の被取付体３８の位置が上方へ伸長することをユーザが認識でき、表示装置４への取付の際に、取付方を容易に理解でき、もって使用性を向上させることができる。
【０１１０】
アダプター３の表示装置４からの取り外しは、第１の被取付体３８が把持されて第１の被取付体３８が第２のスライダー３１とともに上方へ移動され、表示装置４が第１の被取付体３８と第２の被取付体４３の間から引き出されることにより行われる。表示装置４が第１の被取付体３８と第２の被取付体４３の間から引き出された後に、第１の被取付体３８に付与されていた上方への力が解除されると、第１の被取付体３８が第２のスライダー３１及び第１のスライダー２３とともに下方へ移動され、第１の付勢バネ３０と第２の付勢バネ３７の付勢力によって第１のスライダー２３と第２のスライダー３１が表示装置４への取付前の元の状態に戻る。
【０１１１】
［第１の付勢バネと第２の付勢バネの直列接続による作用］
上記したように、アダプター３にあっては、第１の付勢バネ３０と第２の付勢バネ３７が第１のスライダー２３を介して直列に接続され第１のスライダー２３のスライド動作に伴って第２の付勢バネ３７と第１の付勢バネ３０が同時に圧縮されていく。
【０１１２】
このような第２の付勢バネ３７と第１の付勢バネ３０が同時に圧縮されていくときの作用について説明する（図３４参照）。
【０１１３】
図３４は、横軸にバネの伸長量（圧縮量）を示し、縦軸にバネ力（力量）を示したグラフ図である。撮像ユニット１においては、第１の被取付体３８と第２の被取付体４３によって大きさの異なる表示装置４が一定の力で挟持されることが望ましく、バネの伸長量が変化した状態においてもバネ力が一定であることが理想である（状態Ａ）。
【０１１４】
グラフ図に示す状態Ｂ及び状態Ｃはそれぞれバネ力の異なる第１の付勢バネと第２の付勢バネの伸長量と力量の関係を示し、これらは状態Ａに対して大きく傾斜されている。
【０１１５】
一方、状態Ｄはバネ力の異なる第１の付勢バネと第２の付勢バネを直列に接続した場合の伸長量と力量の関係を示し、状態Ｄは状態Ａに対しての傾斜角度が状態Ｂ及び状態Ｃより小さくされており、状態Ｂ及び状態Ｃよりも理想系の状態Ａに近付いた状態にされている。
【０１１６】
従って、アダプター３のように、第１の付勢バネ３０と第２の付勢バネ３７が直列に接続され第１のスライダー２３のスライド動作に伴って第２の付勢バネ３７と第１の付勢バネ３０が同時に圧縮されていくように構成されることにより、第１の被取付体３８と第２の被取付体４３の間隔の大きさが変化されたときに、第１の被取付体３８に対する下方への付勢力の変化が小さくされる。
【０１１７】
［アダプターの押当突部と押付突部の作用］
上記したように、第１の被取付体３８と第２の被取付体４３によって表示装置４が挟持されアダプター３が表示装置４に取り付けられた状態においては、弾性体４１、４１の押当突部４１ｂ、４１ｂ、・・・と押付突部４１ｃ、４１ｃ、・・・が表示装置４に密着されている。
【０１１８】
表示装置４に押当突部４１ｂ、４１ｂ、・・・が密着された状態においては、押当突部４１ｂ、４１ｂ、・・・が弾性変形可能とされ第１の付勢バネ３０と第２の付勢バネ３７によって第２の被取付体４３が第１の被取付体３８に近付く方向へ付勢されているため、面状部４１ａからの突出方向に対して傾斜されている押当突部４１ｂ、４１ｂ、・・・が弾性変形されて表示装置４と面状部４１ａとの間で押し潰された状態にされている（図３５参照）。
【０１１９】
従って、押当突部４１ｂ、４１ｂ、・・・の表示装置４に対する接触面積が大きくされており、アダプター３の表示装置４からの脱落を効果的に防止することができる。
【０１２０】
尚、上記には、並んで位置された押当突部４１ｂ、４１ｂが面状部４１ａからの突出方向へ行くに従って並び方向において互いに離隔する方向へ傾斜された例を示したが、逆に、押当突部４１ｂ、４１ｂは面状部４１ａからの突出方向へ行くに従って並び方向において互いに接近する方向へ傾斜されていてもよい。
【０１２１】
また、表示装置４に押付突部４１ｃ、４１ｃ、・・・が密着された状態においては、押付突部４１ｃ、４１ｃ、・・・が弾性変形可能とされ第１の付勢バネ３０と第２の付勢バネ３７によって第２の被取付体４３が第１の被取付体３８に近付く方向へ付勢されているため、面状部４１ａからの突出方向に対して傾斜されている押付突部４１ｃ、４１ｃ、・・・が弾性変形されて表示装置４と面状部４１ａとの間で押し潰された状態にされている（図３６参照）。
【０１２２】
従って、押付突部４１ｃ、４１ｃ、・・・の表示装置４に対する接触面積が大きくされており、アダプター３の表示装置４からの脱落を効果的に防止することができる。
【０１２３】
また、押付突部４１ｃ、４１ｃ、・・・は突出方向へ行くに従って第１の被取付体３８と第２の被取付体４３の第１のスライダー２３又はベース体１５に対する回動支点から離隔する方向へ傾斜されているため、第１の被取付体３８と第２の被取付体４３が表示装置４に対して第１の被取付体３８と第２の被取付体４３の先端部側と反対側へ移動され難く、アダプター３の表示装置４からの脱落を一層効果的に防止することができる。
【０１２４】
さらに、押付突部４１ｃ、４１ｃ、・・・は第１の被取付体３８と第２の被取付体４３の回動支点と先端部を結ぶ方向において複数が離隔して設けられているため、表示装置４との接触面積が十分に大きくされており、アダプター３の表示装置４からの脱落をより一層効果的に防止することができる。
【０１２５】
［撮像ユニットの使用態様等］
上記したように、表示装置４には撮像装置２、２Ａに取り付けられたアダプター３が取り付けられ、撮像装置２、２Ａがアダプター３を介して表示装置４に取り付けられて撮像ユニット１が構成される。
【０１２６】
アダプター３が表示装置４に取り付けられた状態においては、第１の被取付体３８と第２の被取付体４３が保持位置に回動されている。この状態で、例えば、第１の被取付体３８又は第２の被取付体４３と表示装置４が机上等の載置面５０に載置されることにより、撮像ユニット１を据え置き状態で使用することが可能になる（図３７参照）。
【０１２７】
このように第１の被取付体３８と第２の被取付体４３はアダプター３を表示装置４に取り付けるための機能の他、撮像ユニット１を据え置き状態で使用するための置き台としても機能するため、機能性の向上による使い勝手の向上を図ることができる。
【０１２８】
尚、撮像ユニット１の携帯状態及び据え置き状態での画像や映像の撮影操作は両者とも同様であり、撮像装置２、２Ａと表示装置４が無線により通信され、撮像装置２、２Ａによって取得された画像や映像が表示装置４の表示パネル６に表示される。撮影者は表示パネル６に表示される画面を確認し、撮像装置２、２Ａのシャッター釦２ｈを操作又はタッチパネルとされた表示パネル６の所定の操作部を操作することにより撮像装置２、２Ａによって取得された画像や映像の撮影を行うことができる。
【０１２９】
［付勢バネの数が異なる例］
上記には、第１の付勢バネ３０と第２の付勢バネ３７の二つの付勢バネが設けられたアダプター３を例として示したが、例えば、三つ以上の付勢バネが設けられてアダプターが構成されていてもよい。
【０１３０】
以下に、三つの付勢バネが設けられたアダプター３Ａを例として示す（図３８参照）。尚、以下に示すアダプター３Ａは、三つ以上の付勢バネを使用して本技術に係るアダプターを構成することが可能であることを示す一例であり、以下には構成等を概念的に説明する。
【０１３１】
アダプター３Ａは何れも上下方向へスライド可能な第１のスライダー２３と第２のスライダー３１と第３のスライダー４６とを有している。第１のスライダー２３と第２のスライダー３１の間には第２の付勢バネ３７が支持され、第１のスライダー２３と第３のスライダー４６の間には第１の付勢バネ３０が支持され、第３のスライダー４６とカバー体１６の間には第３の付勢バネ４７が支持されている。
【０１３２】
従って、アダプター３Ａにおいては、第２の付勢バネ３７と第１の付勢バネ３０と第３の付勢バネ４７が第１のスライダー２３と第３のスライダー４６を介して直列に接続されている。
【０１３３】
第１の付勢バネ３０のバネ力は第２の付勢バネ３７のバネ力より小さくされ、第３の付勢バネ４７のバネ力は第１の付勢バネ３０のバネ力より小さくされている。
【０１３４】
アダプター３Ａにおいて、第１の被取付体３８の移動に伴って第２のスライダー３１が移動されていくと、第２の付勢バネ３７が圧縮されて第２の付勢バネ３７のバネ力が第１のスライダー２３に付与され、第１のスライダー２３が第２のスライダー３１と同じ方向へ移動されていく（図３９参照）。また、第１のスライダー２３が移動されていくと、第１の付勢バネ３０が圧縮されて第１の付勢バネ３０のバネ力が第３のスライダー４６に付与され、第３のスライダー４６が第１のスライダー２３と同じ方向へ移動されていく。さらに、第３のスライダー４６が移動されていくと、第３の付勢バネ４７が圧縮される。
【０１３５】
このようにアダプター３Ａにあっては、第２の付勢バネ３７と第１の付勢バネ３０と第３の付勢バネ４７が第１のスライダー２３と第３のスライダー４６を介して直列に接続され第１のスライダー２３のスライド動作に伴って第２の付勢バネ３７と第１の付勢バネ３０と第３の付勢バネ４７が同時に圧縮されていく。従って、第１の被取付体３８と第２の被取付体４３の間隔の大きさが変化されたときに、第１の被取付体３８に対する付勢力の変化が小さくされる。
【０１３６】
尚、本技術に係るアダプターにあっては、四つ以上の付勢バネがそれぞれスライダーを介して直列に接続されていてもよい。
【０１３７】
［撮像ユニットの一実施形態］
以下に、本技術撮像ユニットの一実施形態によるブロック図を示す（図４５参照）。
【０１３８】
撮像ユニット１は撮像装置２（２Ａ）とアダプター３（３Ａ）から成る。
【０１３９】
撮像装置２（２Ａ）は、光軸方向に並んで配置されたレンズ群５２とレンズ群５２を介して取り込まれる光を光電変換する撮像素子５３と撮影された画像信号のアナログ−デジタル変換等の信号処理を行うカメラ信号処理部５４と画像信号の記録再生処理を行う画像処理部５５とを有している。また、メモリーカード１００への画像信号の書込及び読出を行うＲ／Ｗ（リーダ／ライタ）５６と撮像装置２（２Ａ）の全体を制御するＣＰＵ（Central Processing Unit）５７と使用者によって所要の操作が行われる各種のスイッチ等の入力操作部５８、５８、・・・（ズームスイッチ２ｇ、シャッター釦２ｈ等）と、ＮＦＣ通信部５９とを備えている。
【０１４０】
カメラ信号処理部５４は、撮像素子５３からの出力信号に対するデジタル信号への変換、ノイズ除去、画質補正、輝度・色差信号への変換等の各種の信号処理を行う。
【０１４１】
画像処理部５５は、所定の画像データフォーマットに基づく画像信号の圧縮符号化・伸張復号化処理や解像度等のデータ仕様の変換処理等を行う。
【０１４２】
Ｒ／Ｗ５６は、画像処理部５５によって符号化された画像データのメモリーカード１００への書込及びメモリーカード１００に記録された画像データの読出を行う。
【０１４３】
ＣＰＵ５７は、撮像装置２（２Ａ）に設けられた各部を制御する制御処理部として機能し、入力操作部５８、５８、・・・からの指示入力信号等に基づいて各部を制御する。
またＣＰＵ５７は上述したＮＦＣ通信部やＷＩＦＩ通信部を有する通信部５９による無線通信で、表示装置４側と各種データや制御情報の送受信が可能とされている。
【０１４４】
入力操作部５８、５８、・・・は、使用者による操作に応じた指示入力信号をＣＰＵ５７に対して出力する。
【０１４５】
メモリーカード１００は、例えば、Ｒ／Ｗ５６に接続されたメモリーカードスロットに対して着脱可能な半導体メモリーである。
【０１４６】
以下に、撮像装置２（２Ａ）における動作を説明する。
【０１４７】
入力操作部５８、５８、・・・からの指示入力信号により図示しないシャッターが動作されると、撮影された画像信号がカメラ信号処理部５４から画像処理部５５に出力されて圧縮符号化処理され、所定のデータフォーマットのデジタルデータに変換される。変換されたデータはＲ／Ｗ５６に出力され、メモリーカード１００に書き込まれる。尚、変換されたデータは無線通信によって表示装置４に転送されて表示パネル６に出力され、又は、表示装置４の記録部に書き込まれてもよい。
【０１４８】
メモリーカード１００に記録された画像データを再生する場合には、入力操作部５８、５８、・・・に対する操作に応じて、Ｒ／Ｗ５６によってメモリーカード１００から所定の画像データが読み出され、画像処理部５５によって伸張復号化処理が行われた後に、再生画像信号が無線通信によって表示装置４に転送されて表示パネル６に出力されて再生画像が表示される。
【０１４９】
［バッテリー装填構造］
上述した撮像装置２におけるバッテリー装填構造について図４０〜図４４を用いて説明する。
図４０はバッテリー蓋２ｂの裏面と、バッテリー蓋２ｂを空けることにより外筒部７の後面部７ｃ側に表出されるバッテリー装填部７０を示している。
バッテリー蓋２ｂの裏面には、スライド爪６１が４カ所に設けられている。またバッテリー蓋２ｂの裏面には、ボス６３，６３・・・を挿通させた状態で位置決めされるフレキシブル連結部材６２が取り付けられている。このフレキシブル連結部材６２は、ボス６３に対するカシメ止め、もしくはバッテリー蓋２ｂの裏面への接着などにより固定される。フレキシブル連結部材６２の先端部６２ａはバッテリー蓋２ｂの平面より突出するように延長され、この先端部６２ａが、バッテリー装填部７０の上方に設けられた挿通孔７２に挿入される。
【０１５０】
この図４０では説明のため、バッテリー蓋２ｂを外筒部７から取り外した状態で示しているが、通常は、バッテリー蓋２ｂを外した場合、フレキシブル連結部材６２の先端部６２ａが図４１のように挿通孔７２内に挿入された状態で係止される。つまりフレキシブル連結部材６２が外筒部７とバッテリー蓋２ｂの間のヒンジ機構を構成する。これによりバッテリー蓋２ｂを空けた状態でも、バッテリー蓋２ｂは外筒部７から脱落しないようにされる。また先端部６２ａがある程度の長さを持つことで、バッテリー蓋２ｂは外筒部７に対してある程度自由に移動できる。
【０１５１】
バッテリー装填部７０は、図４１に示す扁平な方形のバッテリー９０を装着可能な凹状空間とされている。このバッテリー装填部７０内の上方には、バッテリー９０の電極端子９１，９１，９１と接触する電極端子７１，７１，７１が形成されている。図４２にはバッテリー装填部７０にバッテリー９０が装填されている状態を示しているが、この状態で電極端子９１，９１，９１と電極端子７１，７１，７１が接触している。
【０１５２】
バッテリー装填部７０としての空間より後方には、バッテリー蓋２ｂを取り付けるための係止レール７４，７４が左右に形成されており、この２つの係止レール７４，７４には、それぞれ２つの切欠部７３，７３が形成されている。
合計四つの切欠部７３は、バッテリー蓋２ｂの裏面の４つのスライド爪６１に対応する位置関係で形成される。
【０１５３】
バッテリー蓋２ｂを閉じる際には、バッテリー蓋２ｂの裏面を外筒部７の後面部７ｃ側にあてがい、図４３のように４つのスライド爪６１がそれぞれ４つの切欠部７３に嵌まり込むようにする。そしてその状態からバッテリー蓋２ｂを上方にスライドさせ図４４の状態とする。これによりスライド爪６１が係止レール７４，７４に係止され、バッテリー蓋２ｂが閉じられた状態となる。
【０１５４】
バッテリー蓋２ｂを空ける場合には、逆にバッテリー蓋２ｂを下方にスライドさせる。なおこの操作のため、図４４に示すように、バッテリー蓋２ｂの表面側には、指の掛かりとなる微小突起６５を形成したり、スライド方向を示すマーク６６が表示することが望ましい。
ユーザがバッテリー蓋２ｂを下方にスライドさせることで、図４３のように４つのスライド爪６１がそれぞれ４つの切欠部７３の位置に移動させる。この状態でバッテリー蓋２ｂを持ち上げれば図４１のように蓋が開放される。
【０１５５】
以上のようにバッテリー９０は外筒部７の後面部７ｃ側に形成されたバッテリー装填部７０に装填される。この場合、扁平なバッテリー９０は、その平面が撮像装置２の撮像光軸に対して垂直となる姿勢で装填されることになる。バッテリー９０が撮像光軸に平行に装填される場合、外筒部７の略円筒形状に余分なバッテリー収納のための形状部を形成しなければならないが、後面部７ｃに沿わせてバッテリー９０を垂直姿勢で収納することで、外筐形状に影響を与えないことができる。これにより撮像装置２のデザインの自由度も増す。
また上記のようにバッテリー装填部７０が後面部７ｃに設けられることで、外筒部７の内部の図示しない基板との関係でも、撮像装置２の全体の小型化に好適である。例えば撮像素子を配置した基板が光軸に対して垂直に配置されるが、その基板と平行状態にバッテリー収納空間を形成することで、光軸方向の筐体サイズの小型化に適している。
またバッテリー９０は着脱可能であることで、長時間の撮影などに予備のバッテリーに取り替えることができ、使用上便利である。
【０１５６】
またバッテリー蓋２ｂを開く場合は、バッテリー蓋２ｂを下方にスライドさせて持ち上げるのみでよく、容易であるとともに、フレキシブル連結部材６２によって脱落しない状態で位置の自由度が高い。このためバッテリー交換などの場合にバッテリー蓋２ｂが邪魔になりにくいとともに、バッテリー蓋２ｂの紛失が防止される。
またバッテリー蓋２ｂの上方がフレキシブル連結部材６２によって外筒部７に連結されているので、バッテリー蓋２ｂは自然にバッテリー装填部７０を覆う位置となりやすい。このためユーザがスライド爪６１を切欠部７３の位置にあてがうことが容易であり、そのまま上方にスライドさせるというきわめて簡易な操作でバッテリー蓋２ｂを閉めるという行為を実行できる。
バッテリー蓋２ｂが設けられることで、後面部７ｃの外観を良好とできる。またバッテリーの脱落を防止できる。
【０１５７】
またバッテリー蓋２ｂの開閉時のスライドは、係止レール７４，７４に沿って行われるが、これは結合部１２、１２を避けた状態で行われる。従って結合部１２、１２の機能を阻害しない。もちろん結合部１２，１２はスライドしない固定構造であり、その点でも結合部１２、１２の機能はバッテリー蓋２ｂのスライドに関わらず維持されている。
またバッテリー蓋２ｂを下方向にスライドする構造のため、外筒部７の上方にバッテリー蓋の形状を表出させないこととできる。例えば図８のように下方側はバッテリー蓋２ｂが表出して、外筒部７の周面にバッテリー蓋２ｂとの境界が見える。このような境界は上方側であると目立って外観を阻害する。つまり下方スライド構造とすることで、上方側の美観を高め、外観上の見栄えを良くすることができる。
【０１５８】
［その他］
上記には、第１の付勢バネ３０と第２の付勢バネ３７と第３の付勢バネ４７が何れも圧縮コイルバネである例を示したが、これらの付勢バネは他の種類のバネであってもよく、例えば、引張コイルバネであってもよい。
【０１５９】
また、上記には、第１の被取付体３８が第２の被取付体４３に近付く方向へ付勢された状態で上下方向へ移動される例を示したが、例えば、第１の被取付体３８と第２の被取付体４３の双方が互いに近付く方向へ付勢された状態でそれぞれ上下方向へ移動されるように構成されていてもよい。この場合に、第２の被取付体４３が上下方向へ移動可能なスライド機構を設け、第２の被取付体４３に直列に接続された複数のバネの付勢力が付与されるように構成することも可能である。
【０１６０】
ところでここまで撮像装置２は略円筒形状のものを示したが、撮像装置２の形状は限定されない。例えば図４６に示すように撮像装置２の外筐形状は略直方体形状であってもよい。
【０１６１】
［まとめ］
以上の実施の形態では、撮像装置２とアダプター３で撮像ユニット１が形成される。
撮像装置と装着部による撮像ユニットを構成することで、撮像装置を外部の表示装置に取り付けて使用することが可能となる。
撮像装置２は、外部の表示装置へ画像データを送信する通信部５９と、内部に少なくとも一つのレンズが配置された外筒部７と、撮像素子５３と、撮影釦（シャッタ釦２ｈ）と、電源釦２ｄを備える。またズームスイッチ２ｇを備える。また載置された状態で装置筐体の転がりを防止する転がり防止部（転がり防止突部２ｆ、２ｆ）を備える。
そして外筒部７に周面部７ａが設けられ、シャッタ釦２ｈが周面部７ａの例えば左側に配置され、電源釦２ｄが周面部７ａの上側に配置され、ズームスイッチ２ｇが周面部７ａに配置されている。
【０１６２】
上述してきたようにこのような撮像装置２は、外部の表示装置と連携して撮像／表示動作を行う装置として好適となる。特に撮像素子５３、シャッタ釦２ｈと、電源釦２ｄ、さらにはズームスイッチ２ｇを周面部７ａに設けることで、後面側を表示装置に取り付けることができ、表示装置との連携に適切な形状の撮像装置２を実現しやすい。
また、この撮像装置２には、撮像素子５３により得られる撮像画像の表示に用いられる表示部が設けられていない。これにより外部の表示装置と連携する撮像装置として小型化が実現しやすく、また外部表示装置への取付に適した形状の撮像装置を実現しやすい。
周面部７ａは、複数の部材により構成されている。即ち周面部７ａは外筒部７としての一体部品のみで構成されるだけでなく、他の部品、例えば部材２ｋなどと合わせて形成される。これにより複数の機能部分を設けた状態で周面部を形成できる。但し外筒部７としての一体部品のみで周面部７ａが構成されてもよい。
周面部７ａの全部又は一部が曲面である場合、転がり防止突部２ｆ、２ｆが有用となる。
【０１６３】
外部の表示装置４へ画像を送信する撮像装置２に取り付けられて、撮像装置２を表示装置４に対して着脱可能とする装着装置としてのアダプター３は、撮像装置２の外筒部７に対して移動可能なスライダー（２３，３１）と、スライダー（２３，３１）に連結された第１の被取付体３８と、第１の被取付体３８との間隔が変更可能な第２の被取付体４３と、第１の被取付体３８と第２の被取付体４３の間隔が近づく方向に付勢する付勢部材（第１，第２の付勢バネ３０，３７）とを備え、第１の被取付体３８と第２の被取付体４３で表示装置４を把持する。
このアダプター３を撮像装置２に取り付けることで、撮像装置２を外部の表示装置４に取り付けて使用することが可能となる。
撮像ユニット全体として見た場合、その背面側に第１の被取付体３８および第２の被取付体４３が配置されることで、撮像ユニットの背面側で表示装置に取り付ける構造が実現される。
【０１６４】
また撮像装置２は、装着装置であるアダプター３と結合可能に構成された第１及び第２の結合部１２，１２とを備え、外筒部７の後面部７ｃに第１及び第２の結合部１２，１２が配置され、バッテリーを収納する収納部（バッテリー装填部７０）が外筒部７の後面部７ｃであって、第１の結合部１２と第２の結合部１２との間に設けられている。
従ってバッテリー装填部７０を、第１及び第２の結合部１２，１２が設けられた後面部、つまりアダプター３との装着面側の空間を有効利用して設けるものとなっている。特にバッテリー装填部７０が第１、第２の結合部１２，１２との間に設けられることで、アダプター３の装着を妨げない状態でバッテリー装填部７０を設けることができる。
【０１６５】
撮像装置２とアダプター３は、第１及び第２の結合部１２，１２を介して撮像装置２本体とアダプター３とを相対的に回転させることで結合させる。これにより撮像装置と装着装置の結合が容易に可能になる。
【０１６６】
また撮像ユニット１（５１）及びアダプター３、３Ａにあっては、第１の被取付体３８がベース体１５までの間に介在された付勢バネの数が最大の第２のスライダー３１に連結され、第１の被取付体３８と第２の被取付体４３は両者の間隔が変化されることにより異なる大きさの表示装置４に取付可能とされ、付勢バネの各バネ力が第１の被取付体３８側からベース体１５側へ順に小さくされている。
【０１６７】
従って、第１の被取付体３８と第２の被取付体４３の間隔の大きさが変化されたときに、付勢バネの伸長量に拘わらずバネ力が変化され難く、第１の被取付体３８の第２の被取付体４３に近付く方向への付勢力の変化が小さくされるため、表示装置４の大きさに拘わらずアダプター３の表示装置４に対する安定した取付状態を確保することができる。
【０１６８】
また、複数の付勢バネが直列状態で接続されているため、その分、付勢バネの大きな伸縮量を確保することが可能であり、大きさの異なる表示装置４に対応した第１の被取付体３８と第２の被取付体４３の十分な間隔を確保することができる。
【０１６９】
さらに、アダプター３にあっては、複数のスライダーとして第１のスライダー２３と第２のスライダー３１が設けられ、複数の付勢バネとして第１の付勢バネ３０と第２の付勢バネ３７が設けられ、第１の付勢バネ３０のバネ力が第２の付勢バネ３７のバネ力より小さくされている。
【０１７０】
従って、最低限必要な構成により第１の被取付体３８と第２の被取付体４３の間隔の大きさに応じたバネ力の差を小さくすることが可能であり、部品点数の削減及び機構の簡素化を図った上で表示装置４の大きさに拘わらずアダプター３の表示装置４に対する安定した取付状態を確保することができる。
【０１７１】
さらにまた、複数の付勢バネがスライダーのスライド方向に直交する方向において並んで配置されているため、アダプター３、３Ａのスライド方向における小型化を図ることができる。
【０１７２】
［本技術］
なお、本明細書に記載された効果はあくまでも例示であって限定されるものではなく、また他の効果があってもよい。
本技術は、以下のような構成にすることもできる。
【０１７３】
（１）外部の表示装置へ画像を送信する撮像装置と、
前記表示装置に対して着脱可能な装着部と、からなり
前記撮像装置は、
前記表示装置へ画像を送信する通信部と、
外筒部と、
撮像素子とを備え、
前記装着部は、
前記外筒部に対して移動可能なスライダーと、
前記スライダーに連結された第１の被取付体と、
前記第１の被取付体との間隔が変更可能な第２の被取付体と、
前記第１の被取付体と前記第２の被取付体の間隔が近づく方向に付勢する付勢部材とを備え、
前記第１の被取付体と前記第２の被取付体で前記表示装置を把持する
撮像ユニット
（２）前記撮像装置と前記装着部は一体装置として形成されている
上記（１）に記載の撮像ユニット。
（３）前記撮像装置と前記装着部は別体装置として形成されている
上記（１）又は（２）に記載の撮像ユニット。
（４）前記第１の被取付体が上側に配置され、前記第２の被取付体が下に配置される
上記（１）乃至（３）のいずれかに記載の撮像ユニット。
（５）前記スライダーの移動によって、前記第１の被取付体が上方向に移動され、前記第２の被取付体は位置が固定されている
上記（１）乃至（４）のいずれかに記載の撮像ユニット。
（６）前記装着部は、前記第１の被取付体が移動する旨を示すマークを備える
上記（５）に記載の撮像ユニット。
（７）前記第１の被取付体及び前記第２の被取付体は収納可能に構成されている
上記（１）乃至（６）のいずれかに記載の撮像ユニット。
（８）前記装着部はベース体を更に備え、
第１の状態として、前記第１の被取付体及び第２の被取付体は前記ベース体に対して収納される状態となる
上記（１）乃至（７）のいずれかに記載の撮像ユニット。
（９）第２の状態として、前記第１の被取付体及び第２の被取付体は前記ベース体に対して開放された状態となり、当該第２の状態で前記表示装置を把持する
上記（８）に記載の撮像ユニット。
（１０）前記第１の被取付体および前記第２の被取付体は前記第１の状態と前記第２の状態との間で回動可能である
上記（９）に記載の撮像ユニット。
（１１）撮像ユニット背面側に前記第１の被取付体および前記第２の被取付体が配置される
上記（１）乃至（１０）のいずれかに記載の撮像ユニット。
（１２）少なくとも前記第１の被取付体と前記第２の被取付体の一方に、装着状態を保持する保持部を備える
上記（１）乃至（１１）のいずれかに記載の撮像ユニット。
（１３）前記撮像装置は、
撮影釦と、
電源釦と、
ズームスイッチと、
を備え、
前記外筒部に周面部が設けられ、
前記撮影釦が前記周面部の左側に配置され、
前記電源釦が前記周面部の上側に配置され、
前記ズームスイッチが前記周面部に配置されている
上記（１）乃至（１２）のいずれかに記載の撮像ユニット。
（１４）前記撮像装置は、
撮影釦と、
電源釦と、
ズームスイッチと、
載置された状態で装置筐体の転がりを防止する転がり防止部と、
を備え、
前記外筒部に少なくとも一部に曲面を有する周面部が設けられ、
前記撮影釦が前記周面部に配置され、
前記電源釦が前記周面部に配置され、
前記ズームスイッチが前記周面部に配置され、
前記転がり防止部が前記周面部の下側に配置されている
上記（１）乃至（１２）のいずれかに記載の撮像ユニット。
（１５）前記撮像装置は、
撮影釦と、
電源釦と、
を備え、
前記外筒部に周面部が設けられ、
前記撮影釦と前記電源釦が前記周面部上における周方向に異なる位置に配置されている
上記（１）乃至（１２）のいずれかに記載の撮像ユニット。
（１６）前記撮像装置は、撮影釦を備え、
前記電源釦は、前記外筒部の周面部を形成する面より突出しないように配置されている
上記（１）乃至（１５）のいずれかに記載の撮像ユニット。
（１７）前記撮像装置には、外部音声を入力するマイクロフォンが前記外筒部の周面部に配置されている
上記（１）乃至（１６）のいずれかに記載の撮像ユニット。
（１８）前記撮像装置には、三脚用穴が前記外筒部の周面部の下端部に配置されている
上記（１）乃至（１７）のいずれかに記載の撮像ユニット。
（１９）前記撮像装置には、近距離無線通信部が前記外筒部の背面側以外に配置されている
上記（１）乃至（１８）のいずれかに記載の撮像ユニット。
（２０）前記撮像装置には、近距離無線通信部が前記外筒部の周面部の上方側に配置されている
上記（１）乃至（１９）のいずれかに記載の撮像ユニット。
（２１）前記外筒部の後面部に配置され、前記表示装置に着脱するための装着装置と結合可能に構成された第１及び第２の結合部と、
前記外筒部の後面部であって、前記第１の結合部と前記第２の結合部との間に設けられている、バッテリーを収納する収納部と、を備えた
上記（１）乃至（２０）のいずれかに記載の撮像ユニット。
（２２）前記収納部は、バッテリーが撮像光軸に略垂直な方向から収納可能に構成されている
上記（２１）に記載の撮像ユニット。
（２３）前記収納部には、収納されたバッテリーを閉塞するバッテリー蓋が設けられ、
前記バッテリー蓋は、前記外筒部の後面部との連結部材を備え、
前記連結部材は前記バッテリー蓋の上方側を前記後面部と連結しており、
前記バッテリー蓋が前記連結部材を支点にして上方向へ開放可能とされている
上記（２１）又は（２２）に記載の撮像ユニット。
（２４）外部の表示装置へ画像を送信する撮像装置に取り付けられて、前記撮像装置を前記表示装置に対して着脱可能とする装着装置であって、
前記撮像装置の外筒部に対して移動可能なスライダーと、
前記スライダーに連結された第１の被取付体と、
前記第１の被取付体との間隔が変更可能な第２の被取付体と、
前記第１の被取付体と前記第２の被取付体の間隔が近づく方向に付勢する付勢部材とを備え、
前記第１の被取付体と前記第２の被取付体で前記表示装置を把持する
装着装置。
（２５）前記第１の被取付体が上側に配置され、前記第２の被取付体が下に配置される
上記（２４）に記載の装着装置。
（２６）前記スライダーの移動によって、前記第１の被取付体が上方向に移動され、前記第２の被取付体は位置が固定されている
上記（２４）又は（２５）に記載の装着装置。
（２７）前記第１の被取付体が移動する旨を示すマークを備える
上記（２４）乃至（２６）のいずれかに記載の装着装置。
（２８）前記第１の被取付体及び前記第２の被取付体は収納可能に構成されている
上記（２４）乃至（２６）のいずれかに記載の装着装置。
（２９）ベース体を更に備え、
第１の状態として、前記第１の被取付体及び第２の被取付体は前記ベース体に対して収納される状態となる
上記（２４）乃至（２８）のいずれかに記載の装着装置。
（３０）第２の状態として、前記第１の被取付体及び第２の被取付体は前記ベース体に対して開放された状態となり、当該第２の状態で前記表示装置を把持する
上記（２９）に記載の装着装置。
（３１）前記第１の被取付体および前記第２の被取付体は前記第１の状態と前記第２の状態との間で回動可能である
上記（３０）に記載の装着装置。
（３２）背面側に前記第１の被取付体および前記第２の被取付体が配置される
上記（２４）乃至（３１）のいずれかに記載の装着装置。
（３３）少なくとも前記第１の被取付体と前記第２の被取付体の一方に、装着状態を保持する保持部を備える
上記（２４）乃至（３２）のいずれかに記載の装着装置。
【要約】
【課題】外部の表示装置に取り付けて使用すること場合に適した構造を提供する。
【解決手段】外部の表示装置へ画像を送信する撮像装置と、表示装置に対して着脱可能な装着部とから撮像ユニットを構成する。撮像装置は、表示装置へ画像を送信する通信部と、外筒部と、撮像素子とを備える。装着部は、外筒部に対して移動可能なスライダーと、スライダーに連結された第１の被取付体と、第１の被取付体との間隔が変更可能な第２の被取付体と、第１の被取付体と第２の被取付体の間隔が近づく方向に付勢する付勢部材とを備え、第１の被取付体と第２の被取付体で表示装置を把持するようにする。
【選択図】図３【図１】
0005541430.tif 000002
【図２】
0005541430.tif 000003
【図３】
0005541430.tif 000004
【図４】
0005541430.tif 000005
【図５】
0005541430.tif 000006
【図６】
0005541430.tif 000007
【図７】
0005541430.tif 000008
【図８】
0005541430.tif 000009
【図９】
0005541430.tif 000010
【図１０】
0005541430.tif 000011
【図１１】
0005541430.tif 000012
【図１２】
0005541430.tif 000013
【図１３】
0005541430.tif 000014
【図１４】
0005541430.tif 000015
【図１５】
0005541430.tif 000016
【図１６】
0005541430.tif 000017
【図１７】
0005541430.tif 000018
【図１８】
0005541430.tif 000019
【図１９】
0005541430.tif 000020
【図２０】
0005541430.tif 000021
【図２１】
0005541430.tif 000022
【図２２】
0005541430.tif 000023
【図２３】
0005541430.tif 000024
【図２４】
0005541430.tif 000025
【図２５】
0005541430.tif 000026
【図２６】
0005541430.tif 000027
【図２７】
0005541430.tif 000028
【図２８】
0005541430.tif 000029
【図２９】
0005541430.tif 000030
【図３０】
0005541430.tif 000031
【図３１】
0005541430.tif 000032
【図３２】
0005541430.tif 000033
【図３３】
0005541430.tif 000034
【図３４】
0005541430.tif 000035
【図３５】
0005541430.tif 000036
【図３６】
0005541430.tif 000037
【図３７】
0005541430.tif 000038
【図３８】
0005541430.tif 000039
【図３９】
0005541430.tif 000040
【図４０】
0005541430.tif 000041
【図４１】
0005541430.tif 000042
【図４２】
0005541430.tif 000043
【図４３】
0005541430.tif 000044
【図４４】
0005541430.tif 000045
【図４５】
0005541430.tif 000046
【図４６】
0005541430.tif 000047